(57)【特許請求の範囲】
【請求項１】
変倍レンズと補正レンズとを備えたズームレンズ装置において、
前記変倍レンズのレンズ支持枠から光軸方向に向けて一部が切り欠かれた移動枠が設けられると共に、前記補正レンズのレンズ支持枠から光軸方向に向けて一部が切り欠かれた移動枠が設けられ、変倍レンズの移動枠と補正レンズの移動枠とは直接的に互いに相手側の切り欠きに入り込むように形成され、
前記変倍レンズが補正レンズから最も離れた位置に対応する位置に、変倍レンズの移動枠の切り欠きを遮蔽する遮光部材を位置させ、
変倍レンズが補正レンズに近づく時には前記遮光部材を光軸の後方に移動させると共に、変倍レンズが補正レンズから最も離れた時には、その最も離れた位置に対応する位置に前記遮光部材を移動させる移動手段を設け、
前記移動手段は、変倍レンズの移動枠に設けられたマグネット又は鉄片と、遮光部材に設けられた鉄片又はマグネットと、遮光部材の光軸後方の移動を規制するストッパと、ストッパに設けられた鉄片又はマグネットとからなり、
変倍レンズの移動枠に設けられたマグネット又は鉄片が、遮光部材の鉄片又はマグネットに固着されることにより変倍レンズの移動枠に伴って遮光部材が移動され、
遮光部材に設けられたマグネット又は鉄片が、ストッパの鉄片又はマグネットに固着することにより、遮光部材の光軸後方の移動が規制されることを特徴とするズームレンズ装置。
【発明の詳細な説明】
【０００１】
【発明の属する技術分野】
本発明はズームレンズ装置に係り、特に高倍率で撮影することができるテレビカメラ用のズームレンズ装置に関する。
【０００２】
【従来の技術】
変倍レンズ及び補正レンズを備えたズームレンズ装置において、より高倍率で撮影するためには、変倍レンズと補正レンズのズーム移動範囲を長く設定する必要がある。このため、変倍レンズの移動枠と、補正レンズの移動枠とが、最も接近した位置に移動した時に干渉してしまう場合があるので、各移動枠を切り欠きをもって複数本形成し、その切り欠きに相手側の移動枠を逃がすことにより移動枠同士の干渉を防止している。
【０００３】
【発明が解決しようとする課題】
しかしながら、従来のズームレンズ装置は、変倍レンズが補正レンズから最も離れた位置に位置すると、変倍レンズの前方からの有害光が変倍レンズの移動枠間の切り欠きを介して補正レンズに入射してしまうので、ゴーストが発生するという欠点がある。
【０００４】
本発明は、このような事情に鑑みてなされたもので、変倍レンズと補正レンズとが最も離れた時においてゴーストの発生を防止することができるズームレンズ装置を提供することを目的とする。
【０００５】
【課題を解決するための手段】
本発明は、前記目的を達成する為に、変倍レンズと補正レンズとを備えたズームレンズ装置において、前記変倍レンズのレンズ支持枠から光軸方向に向けて一部が切り欠かれた移動枠が設けられると共に、前記補正レンズのレンズ支持枠から光軸方向に向けて一部が切り欠かれた移動枠が設けられ、変倍レンズの移動枠と補正レンズの移動枠とは直接的に互いに相手側の切り欠きに入り込むように形成され、前記変倍レンズが補正レンズから最も離れた位置に対応する位置に、変倍レンズの移動枠の切り欠きを遮蔽する遮光部材を位置させ、変倍レンズが補正レンズに近づく時には前記遮光部材を光軸の後方に移動させると共に、変倍レンズが補正レンズから最も離れた時には、その最も離れた位置に対応する位置に前記遮光部材を移動させる移動手段を設け、前記移動手段は、変倍レンズの移動枠に設けられたマグネット又は鉄片と、遮光部材に設けられた鉄片又はマグネットと、遮光部材の光軸後方の移動を規制するストッパと、ストッパに設けられた鉄片又はマグネットとからなり、変倍レンズの移動枠に設けられたマグネット又は鉄片が、遮光部材の鉄片又はマグネットに固着されることにより変倍レンズの移動枠に伴って遮光部材が移動され、遮光部材に設けられたマグネット又は鉄片が、ストッパの鉄片又はマグネットに固着することにより、遮光部材の光軸後方の移動が規制されることを特徴とする。
【０００６】
本発明によれば、変倍レンズが補正レンズから最も離れた位置に遮光部材を位置させ、この遮光部材によって、変倍レンズの移動枠間の切り欠きを遮蔽したので、有害光の入射を防止することができる。よって、本発明は、ゴーストの発生を防止することができる。
ところで、遮光部材が前記位置に固定されていると、変倍レンズと補正レンズの近接時に、前記遮光部材によって必要な撮影光が遮られてしまうという不具合が生じる。そこで、本発明は、変倍レンズと補正レンズとの近づく動作に連動させて、移動手段により前記遮光部材を光軸の後方に移動させている。これにより、本発明は、撮影光を遮光部材で遮るのを防止することができる。また、前記同手段は、変倍レンズと補正レンズの離れる方向の移動に連動させて、前記遮光部材を光軸の前方に移動させ、変倍レンズが補正レンズから最も離れた時に、その最も離れた位置に対応する位置に位置させる。
【０００７】
【発明の実施の形態】
以下添付図面に従って本発明に係るズームレンズ装置の好ましい実施の形態について詳説する。図１は本発明に係るズームレンズ装置が適用されたテレビカメラ用ズームレンズ装置１０の断面図である。
同図に示すズームレンズ装置１０は、光軸Ｌに対して前方からフォーカスレンズ１２、変倍レンズ１４、補正レンズ１６、及びマスタレンズ１８が順に配置されている。また、前記ズームレンズ装置１０は、より広角な撮影を実現するためにフォーカスレンズ１２が大型で、且つ、より高倍率な撮影を実現するために変倍レンズ１４、及び補正レンズ１６のズーム移動範囲が長く設定されている。
【０００８】
前記フォーカスレンズ１２は、鏡胴２０の前端大径開口部に配置されると共に、光軸Ｌに沿って前後移動自在に設けられ、図示しない駆動装置によって前後移動される。これによって、ピント調整が行われる。
前記変倍レンズ１４は、レンズ枠２２に支持されており、また補正レンズ１６もレンズ枠２４に支持されている。前記レンズ枠２２には図中二点鎖線で示すピン２６が植設され、このピン２６は、鏡胴に形成された図示しないスリットを介してカム筒２８の変倍レンズ用カム溝３０に係合されている。また、補正レンズ１６のレンズ枠２４も同様に、図中二点鎖線で示すピン３２が植設され、このピン３２は、前記スリットを介してカム筒２８の補正レンズ用カム溝３４に係合されている。前記カム筒２８は、モータ３６の出力軸３８に連結されている。したがって、カム筒２８がモータ３６の駆動力で正転／逆転されると、変倍レンズ１４が前記カム溝３０の軌跡に沿って光軸Ｌ方向に前後移動する。また、補正レンズ１６も同様に、カム溝３４の軌跡に沿って光軸Ｌ方向に前後移動する。前記変倍レンズ１４と補正レンズ１６とは正のパワーを有するレンズなので、変倍レンズ１４と補正レンズ１６とが最も離れた位置（図１、図２参照）において、ＷＩＤＥ撮影ができ、最も接近した位置（図３、図４参照）において、ＴＥＬＥ撮影ができる。
【０００９】
ところで、変倍レンズ１４と補正レンズ１６は、前述したようにより高倍率の撮影を可能とするため、そのズーム移動範囲が長く設定されている。このため、変倍レンズ１４のレンズ枠２２の移動枠２３と、補正レンズ１６のレンズ枠２４の移動枠２５とが、最も接近した位置に移動した時に干渉してしまう場合があるので、図２に示すように各移動枠２３、２５を切り欠きをもって複数本形成し、その切り欠きに相手側の移動枠２３、２５を逃がすことにより移動枠２３、２５同士の干渉を防止している（図４参照）。しかし、このままでは、変倍レンズ１４が補正レンズ１６から最も離れた位置に位置すると（図１、図２参照）、大型のフォーカスレンズ１２を通過した光のうちの有害光Ｌ１が、変倍レンズ１４の移動枠２３、２３、２３間の切り欠きを介して補正レンズ１６に入射し、ゴーストが発生する。
【００１０】
そこで、本実施の形態では、変倍レンズ１４が補正レンズ１６から最も離れた位置に、遮光環４０を設け、この遮光環４０によって、変倍レンズ１４の移動枠２３、２３、２３間の切り欠きを遮蔽して、有害光Ｌ１の入射を防止している。なお、図２、図３は変倍レンズ１４と補正レンズ１６のＷＩＤＥ端、ＴＥＬＥ端位置における位置関係を模式的に示し、これらの図には遮光間４０を省略している。
【００１１】
図１において前記遮光環４０は鏡胴２０の小径開口部前端に設けられると共に、光軸Ｌに沿って前後移動自在に配置される。また、遮光環４０の、前記レンズ枠２２の正面に対向する内面にはマグネット４２が固着されており、そのマグネット４２に対向するレンズ枠２２の正面には、鉄片４４が固着されている。したがって、遮光環４０は、マグネット４２と鉄片４４とを介してレンズ枠２２に固着され、レンズ枠２２の移動に伴って前後移動することができる。
【００１２】
鏡胴２０の内周部にはストッパ４８が固着され、このストッパ４８によって、遮光環４０の後方移動位置が規制されている。これにより、遮光環４０が補正レンズ１６の移動枠２５に干渉するのが阻止されている。また、遮光環４０の後端にはマグネット４６が固着されている。前記マグネット４６に対向するストッパ４８の正面には、鉄片５０が固着されている。したがって、遮光環４０は、後方移動規制位置において、マグネット４６と鉄片５０とを介してストッパ４８に固着されるので、その位置においてガタつくことなく支持される。なお、遮光環４０は変倍レンズ１４との連動時においてもマグネット４２でレンズ枠２２に固着されているので、全移動域においてガタつくことなく支持されている。
【００１３】
次に、前記の如く構成されたズームレンズ装置１０の作用について説明する。まず、変倍レンズ１４と補正レンズ１６とが図１、図２に示したＷＩＤＥ端位置にある時、遮光環４０はマグネット４２によって変倍レンズ１４のレンズ枠２２に固定された状態で、変倍レンズ１４の前方に近接して位置し、レンズ枠２２の移動枠２３、２３、２３間の切り欠きを遮蔽する。これにより、フォーカスレンズ１２を通過した光のうちの有害光Ｌ１は、遮光環４０で遮光されて補正レンズ１６に入射しない。したがって、ＷＩＤＥ端位置において、ゴーストの発生を防止することができる。なお、この時、遮光環４０はマグネット４２によってガタなくレンズ枠２２に固着されているので、撮影に必要な撮影光を遮ることはない。
【００１４】
次に、変倍レンズ１４と補正レンズ１６とをＴＥＬＥ方向に移動していくと、前記遮光環４０はマグネット４２によってレンズ枠２２と伴に光軸Ｌの後方に移動していく。そして、遮光環４０は、光軸Ｌの前方に移動してきた補正レンズ１６の移動枠２５と干渉する直前でストッパ４８に当接して移動規制されると共にマグネット４６でストッパ４８に固着される。そして、変倍レンズ１４と補正レンズ１６とが図３、図４に示すようにＴＥＬＥ端位置に位置した時において、撮影に必要な撮影光Ｌ２は、遮光環４０に遮られることなく変倍レンズ１４に入射する。
【００１５】
このように、本実施の形態では、遮光環４０を設けることによりＷＩＤＥ端位置でのゴーストの発生を防止することができ、且つ、ＴＥＬＥ端位置での撮影を支障なく行うことができる。
図５、図６は本発明の第２の実施の形態を示すズームレンズ装置５０の断面図であり、図５は変倍レンズ１４と補正レンズ１６とがＷＩＤＥ側に位置した時の断面図、図６はＴＥＬＥ端位置に位置した時の断面図である。また、第２の実施の形態を説明するにあたり、図１〜図４に示した第１の実施の形態と同一若しくは類似の部材については同一の符号を付してその説明は省略する。
【００１６】
第２の実施の形態は、遮光環４０をカム筒２８で移動させる構造であり、即ち、遮光環４０に植設されたピン５２を、カム筒２８に形成された遮光環４０用カム溝５４に係合させて、変倍レンズ１４と補正レンズ１６とに連動させて移動させる構造である。前記カム溝５４は、補正レンズ１６の移動枠２５と干渉する直前までは後方に移動する軌跡で形成され、それ以降は後方に移動しないように直進溝となっている。
【００１７】
第２の実施の形態は、第１の実施の形態と比較して、マグネット、鉄片、及びストッパを省略することができるので、部品点数を削減することができるという効果を奏する。
本実施の形態では、テレビカメラに適用されるズームレンズ装置１０について説明したが、写真フイルムを使用する一般のカメラに適用しても良い。
【００１８】
【発明の効果】
以上説明したように本発明に係るズームレンズ装置によれば、変倍レンズが最も離れる位置に遮光部材を設け、この遮光部材によって、変倍レンズの移動枠間の切り欠きを遮蔽したので、ゴーストの発生を防止することができる。また、本発明は、変倍レンズと補正レンズとの近づく動作に連動させて、移動手段により前記遮光部材を光軸の後方に移動させたので、撮影光を遮光部材で遮るのを防止することができる。
【図面の簡単な説明】
【図１】本発明に係るズームレンズ装置が適用されたテレビカメラ用ズームレンズ装置の第１の実施の形態を示す断面図
【図２】図１に示したズームレンズ装置の各レンズがワイド端に位置した時の斜視図
【図３】図１に示したズームレンズ装置の各レンズがテレ端に位置した時の断面図
【図４】図１に示したズームレンズ装置の各レンズがテレ端に位置した時の斜視図
【図５】本発明に係るズームレンズ装置の第２の実施の形態を示す断面図
【図６】図５に示したズームレンズ装置の各レンズがテレ端に位置した時の断面図
【符号の説明】
１０…ズームレンズ装置
１２…フォーカスレンズ
１４…変倍レンズ
１６…補正レンズ
２０…鏡胴
２８…カム筒
４０…遮光環
【図１】
0003831879.tif 000002
【図２】
0003831879.tif 000003
【図３】
0003831879.tif 000004
【図４】
0003831879.tif 000005
【図５】
0003831879.tif 000006
【図６】
0003831879.tif 000007